(57)【要約】【課題】本発明は、使用者の脚の長さによって高低の調節が可能であるだけでなく、足から加えられる力を十分に支持することができる椅子の足置き台装置を提供するためのものである。【解決手段】本発明の椅子の足置き台装置は、座部支持台に面接触して使用者の足が乗せられる扇形状の第１足置き台本体と、必要の際、第１足置き台本体と共に座部支持台を覆いかぶせるように第１足置き台本体に回動可能に備えられ、使用者の足が乗せられる扇形状の第２足置き台本体と、第１足置き台本体と第２足置き台本体を互いに締結させたり分離させる締結部とを含み、締結部は、必要の際、第１及び第２足置き台本体が座部支持台のうち、該当高さの外面に固定されるように、第１足置き台本体と第２足置き台本体を互いに締結させて、第１及び第２足置き台本体により覆いかぶせた前記該当高さの外面に締め力を提供する。【選択図】  図１
2008161653.tif 000002
【特許請求の範囲】
【請求項１】
座部支持台に面接触して使用者の足が乗せられる扇形状の第１足置き台本体と、
必要の際、前記第１足置き台本体と共に前記座部支持台を覆いかぶせるように前記第１足置き台本体に回動可能に備えられ、使用者の足が乗せられる扇形状の第２足置き台本体と、
前記第１足置き台本体と前記第２足置き台本体を互いに締結させたり分離させる締結部と、
を含み、
前記締結部は、必要の際、前記第１及び第２足置き台本体が前記座部支持台のうち、該当高さの外面に固定されるように、前記第１足置き台本体と前記第２足置き台本体を互いに締結させて、前記第１及び第２足置き台本体により覆いかぶせた前記該当高さの外面に締め力を提供することを特徴とする椅子の足置き台装置。
【請求項２】
前記扇形状の第１足置き台本体は、
前記座部支持台に面接触するようにその２つの半径が合う部位がその弧方向に凹んでラウンドされた第１ラウンド部と、
前記第１ラウンド部の一端から前記弧の一端まで延びる第１支持部と、
前記第１ラウンド部の他端から前記弧の他端まで延びる第２支持部と、
前記弧に沿って前記第１支持部にその一端が支持され、前記第２支持部にその他端が支持される第１足置き台部と、
を含むことを特徴とする請求項１記載の椅子の足置き台装置。
【請求項３】
前記扇形状の第２足置き台本体は、
前記座部支持台に面接触するようにその２つの半径が合う部位がその弧方向に凹んでラウンドされた第２ラウンド部と、
前記第２ラウンド部の一端から前記弧の一端まで延びる第３支持部と、
前記第１ラウンド部の他端から前記弧の他端まで延びる第４支持部と、
前記弧に沿って前記第３支持部にその一端が支持され、前記第４支持部にその他端が支持される第２足置き台部と、
を含むことを特徴とする請求項２記載の椅子の足置き台装置。
【請求項４】
前記第２足置き台本体は回動ユニットにより前記第１足置き台本体に回動可能に備えられ、
前記回動ユニットは、
前記第１ラウンド部の同心円に沿って前記第１ラウンド部の一端から延びる第１延長部と、
前記第２ラウンド部の同心円に沿って前記第２ラウンド部の一端から延びる第２延長部と、
前記第１延長部の端部に備えられる第１締結部と、
前記第２延長部の端部に備えられる第２締結部と、
前記第１締結部と前記第２締結部に垂直貫通されるヒンジ軸と、
を含むことを特徴とする請求項３記載の椅子の足置き台装置。
【請求項５】
前記締結部は、
前記第１支持部に形成される第１結合孔と、
前記第３支持部に形成される第２結合孔と、
前記第１及び第２結合孔に挿入されてナットにより締結されるボルトと、
を含むことを特徴とする請求項３記載の椅子の足置き台装置。
【請求項６】
前記第２足置き台本体が回転されて前記第１足置き台本体に接触する場合、前記第２足置き台本体が前記第１本体に重なるようにする重畳ユニットを更に含むことを特徴とする請求項３記載の椅子の足置き台装置。
【請求項７】
前記重畳ユニットは、
前記第１足置き台部の一端に備えられる第１突出部と、
前記第１突出部が挿入されるように前記第２足置き台部の一端に備えられる第１挿入部と、
を含むことを特徴とする請求項６記載の椅子の足置き台装置。
【請求項８】
前記重畳ユニットは、
前記第１支持部の一側面に備えられる第２突出部と、
前記第２突出部が挿入されるように前記第２支持部の一側面に備えられる第２挿入部と、
を更に含むことを特徴とする請求項７記載の椅子の足置き台装置。
【請求項９】
前記重畳ユニットは、
前記第１ラウンド部の他端に備えられる第３突出部と、
前記第３突出部が挿入されるように前記第２ラウンド部の他端に備えられる第３挿入部と、
を更に含むことを特徴とする請求項８記載の椅子の足置き台装置。
【請求項１０】
前記第１及び第２足置き台本体が前記締結部により前記座部支持台に固定された後、前記第１及び第２足置き台本体が前記座部支持台上で移動しないように、前記第１または第２足置き台本体と前記座部支持台との間に位置する締結補助ユニットを更に含むことを特徴とする請求項３記載の椅子の足置き台装置。
【請求項１１】
前記締結補助ユニットは、
前記第１ラウンド部の内周面に形成される第１凹溝と、
前記第１凹溝に付着される第１摩擦パッドと、
前記第２ラウンド部の内周面に形成される第２凹溝と、
前記第２凹溝に付着される第２摩擦パッドと、
を含むことを特徴とする請求項１０記載の椅子の足置き台装置。
【請求項１２】
前記第１及び第２摩擦パッドは、前記移動防止だけでなく、外部の衝撃が吸収できるように弾性を有する材質からなることを特徴とする請求項１１記載の椅子の足置き台装置。
【請求項１３】
前記第１及び第２足置き台部の各平面に滑り防止部を更に含むことを特徴とする請求項３記載の椅子の足置き台装置。
【請求項１４】
前記滑り防止部は、前記第１及び第２足置き台部の各平面に形成される複数個の突起であることを特徴とする請求項１３記載の椅子の足置き台装置。
【請求項１５】
前記扇形状の第１足置き台本体と前記扇形状の第２足置き台本体は互いに同一な半径及び互いに同一な中心角を有することを特徴とする請求項１記載の椅子の足置き台装置。
【請求項１６】
前記締結部と前記回動ユニットは、前記座部支持台を基準に互いに１８０度対称するように位置することを特徴とする請求項４記載の椅子の足置き台装置。
【請求項１７】
前記締結部は、前記座部支持台を基準に椅子の前方に位置し、
前記回動ユニットは、前記座部支持台を基準に椅子の後方に位置することを特徴とする請求項１６記載の椅子の足置き台装置。
【発明の詳細な説明】
【技術分野】
【０００１】
本発明は、椅子に関し、より詳しくは、使用者の脚の長さによって、高低の調節が可能であるだけでなく、足から加えられる力を十分に支持することができる椅子の足置き台装置に関する。
【背景技術】
【０００２】
一般に、椅子は使用者の臀部を支持する座部と、座部を地面に支持する座部支持台を含む。延いては、座部と座部支持台との間には座部の高さが調節できる座部高さ調節ユニットが更に備えられることができる。
【０００３】
このような椅子は机と共に使用することになるが、机は一般的に標準サイズの高さで提供されるので、机の高さに合うように使用者の座高を調節するためには、机でない椅子の座部の高さを調節する実状である。延いては、座部の高さを高めれば使用者の足が地面に着かない問題が発生されることができ、特に子供がその椅子を使用する場合、その問題の深刻性は大きくなることができる。
【０００４】
特に、使用者の足が地面に着かないまま長時間あることになれば、足により支持されるべき力が全て脊椎に伝えられるので、脊椎に無理が加えられることができる。  具体的に、子供のように、まだ脊椎が成長盛りの年頃にこのような姿勢を維持することになれば脊椎関連疾病が誘発するかもしれない。
【発明の開示】
【発明が解決しようとする課題】
【０００５】
本発明は、従来の技術に対する問題点を解決するためのものであって、本発明の技術的課題は、使用者の脚の長さによって高低の調節が可能であるだけでなく、足から加えられる力を十分に支持することができる椅子の足置き台装置を提供することにある。
【課題を解決するための手段】
【０００６】
前記の目的を達成するために、本発明の一実施形態に係る椅子の足置き台装置は、座部支持台に面接触して使用者の足が乗せられる扇形状の第１足置き台本体と、必要の際、前記第１足置き台本体と共に前記座部支持台を覆いかぶせるように前記第１足置き台本体に回動可能に備えられ、使用者の足が乗せられる扇形状の第２足置き台本体と、前記第１足置き台本体と前記第２足置き台本体を互いに締結させたり分離させる締結部と、を含み、前記締結部は、必要の際、前記第１及び第２足置き台本体が前記座部支持台のうち、該当高さの外面に固定されるように、前記第１足置き台本体と前記第２足置き台本体を互いに締結させて、前記第１及び第２足置き台本体により覆いかぶせた前記該当高さの外面に締め力を提供する。
【０００７】
また、前記扇形状の第１足置き台本体は、前記座部支持台に面接触するようにその２つの半径が合う部位がその弧方向に凹んでラウンドされた第１ラウンド部と、前記第１ラウンド部の一端から前記弧の一端まで延びる第１支持部と、前記第１ラウンド部の他端から前記弧の他端まで延びる第２支持部と、前記弧に沿って前記第１支持部にその一端が支持され、前記第２支持部にその他端が支持される第１足置き台部と、を含むことができる。
【０００８】
また、前記扇形状の第２足置き台本体は、前記座部支持台に面接触するようにその２つの半径が合う部位がその弧方向に凹んでラウンドされた第２ラウンド部と、前記第２ラウンド部の一端から前記弧の一端まで延びる第３支持部と、前記第１ラウンド部の他端から前記弧の他端まで延びる第４支持部と、前記弧に沿って前記第３支持部にその一端が支持され、前記第４支持部にその他端が支持される第２足置き台部と、を含むことができる。
【０００９】
また、前記第２足置き台本体は回動ユニットにより前記第１足置き台本体に回動可能に備えられ、前記回動ユニットは、前記第１ラウンド部の同心円に沿って前記第１ラウンド部の一端から延びる第１延長部と、前記第２ラウンド部の同心円に沿って前記第２ラウンド部の一端から延びる第２延長部と、前記第１延長部の端部に備えられる第１締結部と、前記第２延長部の端部に備えられる第２締結部と、前記第１締結部と前記第２締結部に垂直貫通されるヒンジ軸と、を含むことができる。
【００１０】
また、前記締結部は、前記第１支持部に形成される第１結合孔と、前記第３支持部に形成される第２結合孔と、前記第１及び第２結合孔に挿入されてナットにより締結されるボルトと、を含むことができる。
【００１１】
また、前記第２足置き台本体が回転されて前記第１足置き台本体に接触する場合、前記第２足置き台本体が前記第１本体に重なるようにする重畳ユニットを更に含むことができる。
【００１２】
また、前記重畳ユニットは、前記第１足置き台部の一端に備えられる第１突出部と、前記第１突出部が挿入されるように前記第２足置き台部の一端に備えられる第１挿入部と、を含むことができる。
【００１３】
また、前記重畳ユニットは、前記第１支持部の一側面に備えられる第２突出部と、前記第２突出部が挿入されるように前記第２支持部の一側面に備えられる第２挿入部と、を更に含むことができる。
【００１４】
また、前記重畳ユニットは、前記第１ラウンド部の他端に備えられる第３突出部と、前記第３突出部が挿入されるように前記第２ラウンド部の他端に備えられる第３挿入部と、を更に含むことができる。
【００１５】
また、本発明の一実施形態に係る椅子の足置き台装置は、前記第１及び第２足置き台本体が前記締結部により前記座部支持台に固定された後、前記第１及び第２足置き台本体が前記座部支持台上で移動しないように、前記第１または第２足置き台本体と前記座部支持台との間に位置する締結補助ユニットを更に含むことができる。
【００１６】
また、前記締結補助ユニットは、前記第１ラウンド部の内周面に形成される第１凹溝と、前記第１凹溝に付着される第１摩擦パッドと、前記第２ラウンド部の内周面に形成される第２凹溝と、前記第２凹溝に付着される第２摩擦パッドと、を含むことができる。
【００１７】
また、前記第１及び第２摩擦パッドは、前記移動防止だけでなく、外部の衝撃が吸収できるように弾性を有する材質からなることができる。
【００１８】
また、 本発明の一実施形態に係る椅子の足置き台装置は、前記第１及び第２足置き台部の各平面に滑り防止部を更に含むことができる。
【００１９】
また、前記滑り防止部は、前記第１及び第２足置き台部の各平面に形成される複数個の突起であることができる。
【００２０】
また、前記扇形状の第１足置き台本体と前記扇形状の第２足置き台本体は互いに同一な半径及び互いに同一な中心角を有することができる。
【００２１】
また、前記締結部と前記回動ユニットは、前記座部支持台を基準に互いに１８０度対称するように位置することができる。
【００２２】
また、前記締結部は、前記座部支持台を基準に椅子の前方に位置し、前記回動ユニットは、前記座部支持台を基準に椅子の後方に位置することができる。
【発明の効果】
【００２３】
以上のように、本発明の一実施形態に係る椅子の足置き台装置は、次のような効果が得られる。
【００２４】
本発明の一実施形態によれば、使用者の脚の長さによって高低の調節が可能であるだけでなく、足から加えられる力を十分に支持することができる。
【発明を実施するための最良の形態】
【００２５】
以下、添付した図面を参考しつつ本発明の実施形態に対して本発明が属する技術分野で通常の知識を有する者が容易に実施できるように詳細に説明する。しかしながら、本発明はいろいろ相異する形態で具現されることができ、ここで説明する実施形態に限るのではない。
【００２６】
図１は本発明の一実施形態に係る椅子の足置き台装置を示す平面図であり、図２は支持台の縦端面を示す図１のII−IIの断面図であり、図３は足置き台部の縦端面を示す図１のIII−IIIの断面図である。
【００２７】
図４は本発明の一実施形態に係る椅子の足置き台装置において、締結補助ユニットを具体的に示す断面図であり、図５及び図６は本発明の一実施形態に係る椅子の足置き台装置の動作状態を示す平面図であり、図７は図５のVII−VIIの断面図である。
【００２８】
本発明の一実施形態に係る椅子の足置き台装置は、図１に示すように、扇形状の第１足置き台本体１００、扇形状の第２足置き台本体２００、及び締結部３００とを含む。
【００２９】
まず、図１を参照して、第１足置き台本体１００について詳細に説明する。
【００３０】
第１足置き台本体１００は、座部支持台１０にその一側が面接触する。  具体的に、第１足置き台本体１００は扇形状をして、その全体の周りに沿って備えられる第１ラウンド部１１０、第１支持部１３０、第２支持部１５０、及び第１足置き台部１７０を含み、重さ及び材料費用を減らすために、その周りの中心が開放された形状を有することができる。
【００３１】
より具体的に、第１ラウンド部１１０は座部支持台１０に面接触するように、その２つの半径（Ｒ１；線分Ａ１０１）（Ｒ２；線分Ｂ１０１）が合う部位がその弧（Ａ１Ｂ１）方向に凹んでラウンドされることができる。  第１支持部１３０は、第１ラウンド部１１０の一端から弧（Ａ１Ｂ１）の一端まで延びたものである。  第２支持部１５０は、第１ラウンド部１１０の他端から弧（Ａ１Ｂ１）の他端まで延びたものである。  第１足置き台部１７０は弧（Ａ１Ｂ１）に沿って第１支持部１３０にその一端が支持され、第２支持部１５０にその他端が支持されたものである。
【００３２】
したがって、第１足置き台部１７０は、第１及び第２支持部１３０、１５０により第１ラウンド部１１０に支持される構造を有する。  特に、製造工程を単純化するために、第１ラウンド部１１０、第１支持部１３０、第２支持部１５０、及び第１足置き台部１７０は一体形成されることができる。
【００３３】
また、図２に示すように、重さ及び材料費用を減らすために、第１支持部１３０と第２支持部１５０の各縦端面は、底面が開放された
【００３４】
【数１】
2008161653.tif 000003
形状にすることができる。  また、図３に示すように、重さ及び材料費用を減らすために、第１足置き台部１７０の縦端面やはり底面が開放された
【００３５】
【数２】
2008161653.tif 000004
形状にすることができる。
【００３６】
また、図１をまた参照して、第２足置き台本体２００について詳細に説明する。
【００３７】
第２足置き台本体２００は、第１足置き台本体１００に回動可能に備えられ、座部支持台１０にその一側が面接触する。  具体的に、第２足置き台本体２００は、扇形状をして、その全体の周りに沿って備えられる第２ラウンド部２１０、第３支持部２３０、第４支持部２５０、及び第２足置き台部２７０を含み、重さ及び材料費用を減らすために、その周りの中心が開放された形状を有することができる。
【００３８】
より具体的に、第２ラウンド部２１０は座部支持台１０に面接触するように、その２つの半径（Ｒ３；線分Ａ２０２）（Ｒ４；線分Ｂ２０２）が合う部位がその弧（Ａ２Ｂ２）方向に凹んでラウンドされることができる。  第３支持部２３０は、第２ラウンド部２１０の一端から弧（Ａ２Ｂ２）の一端まで延びたものである。  第４支持部２５０は、第２ラウンド部２１０の他端から弧（Ａ２Ｂ２）の他端まで延びたものである。  第２足置き台部２７０は弧（Ａ２Ｂ２）に沿って第３支持部２３０にその一端が支持され、第４支持部２５０にその他端が支持されたものである。
【００３９】
したがって、第２足置き台部２７０は、第３及び第４支持部２３０、２５０により第２ラウンド部２１０に支持される構造を有する。  特に、製造工程を単純化するために、第２ラウンド部２１０、第３支持部２３０、第４支持部２５０、及び第２足置き台部２７０は、一体形成されることができる。
【００４０】
また、図２に示すように、重さ及び材料費用を減らすために、第３支持部２３０と第４支持部２５０の各縦端面は底面が開放された
【００４１】
【数３】
2008161653.tif 000005
形状にすることができる。  また、図３に示すように、重さ及び材料費用を減らすために、第２足置き台部２７０の縦端面やはり底面が開放された
【００４２】
【数４】
2008161653.tif 000006
形状にすることができる。
【００４３】
また、図１をまた参照して、締結部３００を詳細に説明する。
【００４４】
締結部３００は、座部支持台１０に第１足置き台本体１００と第２足置き台本体２００を固定させるものである。具体的に、締結部３００は、第１支持部１３０に形成される第１結合孔３１０、第３支持部２３０に形成される第２結合孔３２０、及び第１及び第２結合孔３１０、３２０に挿入されてナット３３０により締結されるボルト３４０を含むことができる。
【００４５】
したがって、使用者が座部支持台１０の適当な位置（使用者の足が着くことができる位置）に第１足置き台本体１００の第１ラウンド部１１０を座部支持台１０に面接触させて、第２足置き台本体２００を回動させて第２足置き台本体２００の第２ラウンド部２１０を座部支持台１０に面接触させた後、ボルト３４０を締めることになれば、第１足置き台本体１００と第２足置き台本体２００は座部支持台１０に堅く固定される。
【００４６】
また、前述した第２足置き台本体２００は、回動ユニット４００により第１足置き台本体１００に回動可能に備えられることができる。  以下、図１をまた参照して、回動ユニット４００を詳細に説明する。
【００４７】
回動ユニット４００は、第１ラウンド部１１０の同心円に沿って第１ラウンド部１１０の一端から延びる第１延長部４１０、第２ラウンド部２１０の同心円に沿って第２ラウンド部２１０の一端から延びる第２延長部４２０、第１延長部４１０の端部に備えられる第１締結部４３０、第２延長部４２０の端部に備えられる第２締結部４４０、及び第１締結部４３０と第２締結部４４０に垂直貫通されるヒンジ軸４５０を含むことができる。
【００４８】
したがって、ヒンジ軸４５０を基準にして第２足置き台本体２００が第１足置き台本体１００に対して回動されることができる。
【００４９】
特に、第１及び第２延長部４１０、４２０を置く理由は、第１及び第２足置き台本体１００、２００が扇形状（中心角が１８０より小さい形状）を有することによって、第１及び第２ラウンド部１１０、２１０は互いに締結され難いことがあるので、第１及び第２延長部４１０、４２０を更に備えて、第１及び第２ラウンド部１１０、２１０が完全に半円になるようにして互いに締結を容易にしたものである。  勿論、このようにする場合、第１ラウンド部１１０、第１延長部４１０、第２ラウンド部２１０、及び第２延長部４２０が座部支持台１０を完全に覆いかぶせることになるので、外力（足から加えられる力等）から第１及び第２足置き台本体１００、２００が座部支持台１０から離脱することを未然に防止することができる。
【００５０】
また、本発明の一実施形態に係る椅子の足置き台装置は、第２足置き台本体２００が回転して第１足置き台本体１００に接触する場合、第２足置き台本体２００が第１足置き台本体１００に重なるようにする重畳ユニット５００を更に含むことができる。以下、図１及び図７を参照して、重畳ユニット５００を詳細に説明する。
【００５１】
重畳ユニット５００は、第１足置き台部１７０の一端に備えられる第１突出部５１０と、そして第１突出部５１０が挿入されるように第２足置き台部２７０の一端に備えられる第１挿入部５２０を含むことができる。  また、重畳ユニット５００は、図７に示すように、第１支持部１３０の一側面に備えられる第２突出部５３０、及び第２突出部５３０が挿入されるように前記第２支持部２３０の一側面に備えられる第２挿入部５４０を更に含むことができる。  また、重畳ユニット５００は、第１ラウンド部１１０の他端に備えられる第３突出部５５０と、第３突出部５５０が挿入されるように第２ラウンド部２１０の他端に備えられる第３挿入部５６０を更に含むことができる。
【００５２】
したがって、第１足置き台本体１００と第２足置き台本体２００が重畳ユニット５００により互いに重なる構造を有することにより、足の荷重及び足から加えられる力が第１足置き台本体１００及び第２足置き台本体２００に同時に伝えられるので、より好ましく足を支持することができる。
【００５３】
また、本発明の一実施形態に係る椅子の足置き台装置は、第１及び第２足置き台本体１００、２００が座部支持台１０に固定された後、第１及び第２足置き台本体１００、２００が座部支持台１０上で移動しないように、第１または第２足置き台本体（１００、または、２００）と前記座部支持台１０の間に位置する締結補助ユニット６００を更に含むことができる。以下、図４を参照して、締結補助ユニット６００を詳細に説明する。
【００５４】
締結補助ユニット６００は、前記第１ラウンド部１１０の内周面に形成される第１凹溝６１０、前記第１凹溝６１０に付着される第１摩擦パッド６２０、前記第２ラウンド２１０の内周面に形成される第２凹溝６３０、及び第２凹溝６３０に付着される第２摩擦パッド６４０を含むことができる。  したがって、第１及び第２足置き台本体１００、２００は座部支持台１０上で時計方向、反時計方向、上方または下方に移動されなくて、常に該当位置[第１及び第３支持部１３０、２３０が椅子の前方に向ける位置]に位置することができる。  即ち、使用者の足が置かれない椅子の後部に第１及び第２足置き台本体１００、２００が位置することを未然に防止することができる。  また、後述するように、締結部３００は椅子の前方に、回動ユニット４００は椅子の後方に常に位置させることができる。
【００５５】
また、第１及び第２摩擦パッド６２０、６４０は、前述した時計方向、反時計方向、上方または下方移動防止だけでなく、外部の衝撃が吸収できるように弾性を有する材質からなることができる。  このような弾性を有する材質としては、スポンジまたはゴムなどが挙げられる。  また、第１及び第２摩擦パッド６２０、６４０の内周面が座部支持台１０の外周面に正しく接触するために、第１及び第２摩擦パッド６２０、６４０の厚み（Ｔ）は第１及び第２凹溝６１０、６３０の深さ（Ｄ）より大きいものが好ましいはずである。
【００５６】
また、本発明の一実施形態に係る椅子の足置き台装置は、第１及び第２足置き台部１７０、２７０の各平面に滑り防止部７００を更に含むことができる。  具体的に、滑り防止部７００は、図１及び図３を参照して、第１及び第２足置き台部１７０、２７０の各平面に形成される複数個の突起７１０であり得る。
【００５７】
また、扇形状の第１足置き台本体１００と扇形状の第２足置き台本体２００は互いに同一な半径（Ｒ１＝Ｒ３）及び互いに同一な中心角（α１＝α２）を有することが好ましい。  その理由は、第１足置き台本体１００の中心角（α１）が第２足置き台本体２００の中心角（α２）より小さくなれば、同一な半径（Ｒ１＝Ｒ３）下で第１足置き台本体１００の弧（Ａ１Ｂ１）の長さ及び第１足置き台本体１００の第１ラウンド部１１０の長さの各々はまた第２足置き台本体２００の弧（Ａ２Ｂ２）の長さ及び第２足置き台本体２００の第２ラウンド部２１０の長さより小さくなって、相対的に第１足置き台本体１００が足の荷重または足から加えられる力に脆弱になり得るためである。  したがって、前述したように、第１及び第２足置き台本体１００、２００が互いに同一な半径（Ｒ１＝Ｒ３）及び中心角（α１＝α２）を有することになれば、第１足置き台本体１００と第２足置き台本体２００が互いに対称する形状を有することになるので、このような脆弱部が発生しなくなる。  結果的に、足の荷重または足から加えられる力は、第１足置き台本体１００及び第２足置き台本体２００に均等に分散されることができる。
【００５８】
また、締結部３００と回動ユニット４００は、座部支持台１０を基準に互いに１８０度対称するように位置することが好ましい。  これもまた、足の荷重または足から加えられる力を均等に分散させるためである。  その理由は、いずれか一側に締結部３００と回動ユニット４００が全て位置すれば、その位置した部位または位置していない部位が相対的に脆弱になり得るためである。
【００５９】
また、締結部３００は座部支持台１０を基準に椅子の前方に位置し、そして回動ユニット４００は座部支持台１０を基準に椅子の後方に位置することが好ましい。  即ち、締結部３００が椅子の前方に位置するということは、前述した内容に基づいて見れば、第１足置き台本体１００及び第２足置き台本体２００が椅子の前方に位置するということを意味するはずである。  したがって、使用者の足は椅子の前部に位置するので、第１足置き台本体１００及び第２足置き台本体２００が椅子の前方に位置することが好ましいはずである。
【００６０】
延いては、締結部３００と回動ユニット４００が１８０度を維持したまま椅子の前方と後方に各々位置するので、足により第１及び第２足置き台部１７０、２７０が押される力を座部支持台１０を基準に前と後から支持してくれることができる。  即ち、締結部３００でその力の半分（下方の力）を吸収し、回動ユニット４００でその力の残りの半分（上方の力）を吸収して、その力を支持するようになる。  しかしながら、仮りに締結部３００と回動ユニット４００が椅子の左側と右側に位置する構造を有する場合、押される力は全て下方の力を有することになるので、その力に対して脆弱になり得る。
【００６１】
以下、図５及び図６を参照して、本発明の一実施形態に係る椅子の足置き台装置の動作状態を説明する。
【００６２】
結合時、図５に示すように、図１の状態で使用者が第１足置き台本体１００及び第２足置き台本体２００を座部支持台１０の希望する高さに位置させた後、第２足置き台本体２００を取って回動ユニット４００を基準に第２足置き台本体２００を回動させれば、第２足置き台本体２００が第１足置き台本体１００に向かって回動する。  この後、第１、第２及び第３突出部５１０、５３０、５５０は、第１、第２及び第３挿入部５２０、５４０、５６０に各々挿入される。  最後に、使用者がボルト３４０を第１及び第２結合孔３１０、３２０に挿入させて締めれば、第２足置き台本体２００は第１足置き台本体１００に完全に固定され、このようなボルト３４０の締め力は第１及び第２ラウンド部１１０、２１０と、そして第１及び第２延長部４１０、４２０を締めることになり、座部支持台１０は第１及び第２ラウンド部１１０、２１０と、そして第１及び第２延長部４１０、４２０により強く把持される。
【００６３】
分離時、図６に示すように、ボルト３４０を外し、第２足置き台本体２００を図面上の時計方向に回転させて分離すればよい。
【００６４】
参考に、本発明の一実施形態に係る椅子の足置き台装置（Ｆ．Ｓ．Ａ）が座部支持台１０に設置された状態は、図８の通りである。
【００６５】
以上、本発明の好ましい実施形態に対して詳細に説明したが、本発明の権利範囲はこれに限るのではなくて、請求範囲で定義している本発明の基本概念を利用した当業者の種々の変形及び改良形態もまた本発明の権利範囲に属するものである。
【図面の簡単な説明】
【００６６】
【図１】本発明の一実施形態に係る椅子の足置き台装置を示す平面図である。
【図２】図１のII−IIの断面図である。
【図３】図１のIII−IIIの断面図である。
【図４】本発明の一実施形態に係る椅子の足置き台装置において、締結補助ユニットを具体的に示す断面図である。
【図５】本発明の一実施形態に係る椅子の足置き台装置の動作状態を示す平面図である。
【図６】本発明の一実施形態に係る椅子の足置き台装置の動作状態を示す平面図である。
【図７】図５のVII−VIIの断面図である。
【図８】本発明の一実施形態に係る椅子の足置き台装置が座部支持台に設置された状態を示す斜視図である。
【符号の説明】
【００６７】
１０    座部支持台
１００    第１足置き台本体
２００    第２足置き台本体
３００    締結部
４００    回動ユニット
５００    重畳ユニット
６００    締結補助ユニット
７００    滑り防止部
【図１】
2008161653.tif 000007
【図２】
2008161653.tif 000008
【図３】
2008161653.tif 000009
【図４】
2008161653.tif 000010
【図５】
2008161653.tif 000011
【図６】
2008161653.tif 000012
【図７】
2008161653.tif 000013
【図８】
2008161653.tif 000014